(57)【要約】【課題】歯磨き剤の使いすぎを回避し、さらに、歯磨き剤が残ってしまい無駄（ロス）となることを回避して資源を有効に活用する歯磨き剤容器、および、歯磨きセットを提供する。【解決手段】歯磨き剤容器１１０は、一対のシート状部材を合わせて互いに接触した外側縁部分１１１と互いに離間した内側袋状部分１１２とを有して内側袋状部分において歯磨き剤を内包し、内側袋状部分の面積Ａ１が、歯ブラシ１２０のブラシ側方視におけるブラシ部分１２１ａの面積Ａ２より小さい構成である。【選択図】図１
0003225093.tif 000002
【実用新案登録請求の範囲】
【請求項１】
一対のシート状部材を合わせて互いに接触した外側縁部分と互いに離間した内側袋状部分とを有して内側袋状部分において歯磨き剤を内包する歯磨き剤容器であって、
前記内側袋状部分の面積が、歯ブラシのブラシ側方視におけるブラシ部分の面積より小さい構成であることを特徴とする歯磨き剤容器。
【請求項２】
前記シート状部材の少なくともベース層が、紙で形成されている構成であることを特徴とする請求項１に記載の歯磨き剤容器。
【請求項３】
歯ブラシと歯磨き剤容器と紙製保護シート材と紙製ヘッドカバーシート材と係止用線材とを有した歯磨きセットであって、
前記歯磨き剤容器が、請求項１または請求項２に記載された歯磨き剤容器であり、
前記紙製保護シート材が、前記歯ブラシのネック部の延設方向から視て少なくともコ字状に屈曲して形成されて、歯ブラシのヘッド部の少なくとも両側側方を覆うように配設され、歯ブラシのヘッド部の側方と対向する面において２つのスリットを有し、
前記歯磨き剤容器の少なくとも一部が、前記紙製保護シート材の２つスリットに挿通されて紙製保護シート材に対して保持され、
前記紙製ヘッドカバーシート材が、前記歯ブラシのヘッド部と紙製保護シート材と歯磨き剤容器と歯ブラシのネック部の一部とを覆うとともに、
前記係止用線材が、紙製ヘッドカバーシート材の一部に巻かれて紙製ヘッドカバーシート材を歯ブラシのネック部に係止する構成であることを特徴とする歯磨きセット。
【請求項４】
歯ブラシと歯磨き剤容器とパルプ製カバー材とを有した歯磨きセットであって、
前記歯磨き剤容器が、請求項１または請求項２に記載された歯磨き剤容器であり、
前記パルプ製カバー材が、開閉自在な構造であり、歯ブラシのヘッド部および歯ブラシのネック部の一部を歯ブラシの側方両側から挟むように覆い、歯ブラシのヘッド部と対向する位置に歯磨き剤容器を収納する凹部を有している構成であることを特徴とする歯磨きセット。
【考案の詳細な説明】
【技術分野】
【０００１】
本考案は、一対のシート状部材を合わせて互いに接触した外側縁部分と互いに離間した内側袋状部分とを有して内側袋状部分において歯磨き剤を内包する歯磨き剤容器、および、この歯磨き剤容器と歯ブラシとを有した歯磨きセットに関する。
【背景技術】
【０００２】
従来、チューブ型の容器の取り出し口の反対側を把持する把持部と、把持部によって把持された容器を回転させる回転駆動部と、把持部及び回転駆動部を外部の被固定部位に固定支持するための固定支持部とを備えている容器内の物質の取り出し装置が知られている（例えば、特許文献１）。
【先行技術文献】
【特許文献】
【０００３】
【特許文献１】特許第６４８２０４８号公報（特に、段落００２０参照）
【考案の概要】
【考案が解決しようとする課題】
【０００４】
しかしながら、上述した従来のチューブ型の容器は、取り出し口の近傍が比較的固めに形成されて変形しにくい構造であったため、容器内の物質を残らず押し出すことが困難であるという問題があった。
また、ホテルなどの宿泊施設で利用される所謂、ペースト状の歯磨き粉と呼ばれる歯磨き剤のチューブ型の容器の内容量は、１泊分である夜と翌朝との２回分あれば十分にもかかわらず、多めに設定されていたため、１回分の適正量がわかりにくく、歯磨き剤の使いすぎてしまうという問題があった。
そして、チューブ型の容器に残された歯磨き剤が無駄になるという問題があった。
【０００５】
そこで、本考案は、前述したような従来技術の問題を解決するものであって、すなわち、本考案の目的は、歯磨き剤の使いすぎを回避し、さらに、歯磨き剤が残ってしまい無駄（ロス）となることを回避して資源を有効に活用する歯磨き剤容器、および、歯磨きセットを提供することである。
【課題を解決するための手段】
【０００６】
本請求項１に係る考案は、一対のシート状部材を合わせて互いに接触した外側縁部分と互いに離間した内側袋状部分とを有して内側袋状部分において歯磨き剤を内包する歯磨き剤容器であって、前記内側袋状部分の面積が、歯ブラシのブラシ側方視におけるブラシ部分の面積より小さい構成であることにより、前述した課題を解決するものである。
【０００７】
本請求項２に係る考案は、請求項１に記載された歯磨き剤容器の構成に加えて、前記シート状部材の少なくともベース層が、紙で形成されている構成であることにより、前述した課題をさらに解決するものである。
【０００８】
本請求項３に係る考案は、歯ブラシと歯磨き剤容器と紙製保護シート材と紙製ヘッドカバーシート材と係止用線材とを有した歯磨きセットであって、前記歯磨き剤容器が、請求項１または請求項２に記載された歯磨き剤容器であり、前記紙製保護シート材が、前記歯ブラシのネック部の延設方向から視て少なくともコ字状に屈曲して形成されて、歯ブラシのヘッド部の少なくとも両側側方を覆うように配設され、歯ブラシのヘッド部の側方と対向する面において２つのスリットを有し、前記歯磨き剤容器の少なくとも一部が、前記紙製保護シート材の２つスリットに挿通されて紙製保護シート材に対して保持され、前記紙製ヘッドカバーシート材が、前記歯ブラシのヘッド部と紙製保護シート材と歯磨き剤容器と歯ブラシのネック部の一部とを覆うとともに、前記係止用線材が、紙製ヘッドカバーシート材の一部に巻かれて紙製ヘッドカバーシート材を歯ブラシのネック部に係止する構成であることにより、前述した課題をさらに解決するものである。
【０００９】
本請求項４に係る考案は、歯ブラシと歯磨き剤容器とパルプ製カバー材とを有した歯磨きセットであって、前記歯磨き剤容器が、請求項１または請求項２に記載された歯磨き剤容器であり、前記パルプ製カバー材が、開閉自在な構造であり、歯ブラシのヘッド部および歯ブラシのネック部の一部を歯ブラシの側方両側から挟むように覆い、歯ブラシのヘッド部と対向する位置に歯磨き剤容器を収納する凹部を有している構成であることにより、前述した課題をさらに解決するものである。
【考案の効果】
【００１０】
本考案の歯磨き剤容器は、一対のシート状部材を合わせて互いに接触した外側縁部分と互いに離間した内側袋状部分とを有していることにより、内側袋状部分において歯磨き剤を内包することができるばかりでなく、以下のような特有の効果を奏することができる。
【００１１】
本請求項１に係る考案の歯磨き剤容器によれば、歯磨き剤の量が約１回分の歯磨きに適した量となるため、歯磨き剤の使いすぎを回避することができる。
さらに、内側袋状部分がユーザーの例えば、親指と人差し指とによって摘ままれてワンプッシュで歯磨き剤が外部に押し出されるため、約１回分の歯磨き剤を簡単に使い切ることができる。
つまり、歯磨き剤が残ってしまい無駄（ロス）となることを回避して資源を有効に活用することができる。
【００１２】
本請求項２に係る考案の歯磨き剤容器によれば、請求項１に係る考案が奏する効果に加えて、外側縁部分を破りやすくなるため、ユーザーは簡単に歯磨き剤容器の角などを破って歯磨き剤を押し出すことができる。
さらに、使用済みの歯磨き剤容器はリサイクル可能となるため、環境問題に対応することができる。
【００１３】
本請求項３に係る考案の歯磨きセットによれば、請求項１または請求項２に係る考案が奏する効果に加えて、紙製保護シート材によって歯ブラシのヘッド部が保護されるとともに歯磨き剤容器が保持されるため、歯磨きセットをコンパクトにすることができる。
また、多数の歯磨きセットが束となって運搬される際、歯磨き剤容器が歯ブラシのブラシ部分の横に位置して運搬時に外力が歯磨き剤容器に対して直接作用しないため、歯磨き剤容器が外力によって破損するリスクを回避することができる。
さらに、歯磨きセットを持ち運ぶ際、通常、紙製ヘッドカバーシート材に覆われたヘッド部ではなく、持ち手部が持たれるため、外力が歯磨き剤容器に対して直接作用しないため、歯磨き剤容器が外力によって破損するリスクを回避することができる。
また、使用済みの紙製保護シート材および紙製ヘッドカバーシート材はリサイクル可能となるため、環境問題にも対応することができる。
さらに、今までに無い形態となるため、斬新、かつ、見栄えのよい歯磨きセットを提供することができる。
【００１４】
本請求項４に係る考案の歯磨きセットによれば、請求項１または請求項２に係る考案が奏する効果に加えて、パルプ製カバー材によって歯ブラシのヘッド部が保護されるとともに歯磨き剤容器が収納・保持されるため、歯磨きセットをコンパクトにすることができる。
また、多数の歯磨きセットが束となって運搬される際、歯磨き剤容器が歯ブラシのブラシ部分の横に位置して運搬時に外力がパルプ製カバー材に覆われた歯磨き剤容器に対して直接作用しないため、歯磨き剤容器が外力によって破損するリスクを回避することができる。
さらに、歯磨きセットを持ち運ぶ際、通常、パルプ製カバー材に覆われたヘッド部ではなく、持ち手部が持たれるため、外力が歯磨き剤容器に対して直接作用しないため、歯磨き剤容器が外力によって破損するリスクを回避することができる。
また、使用済みのパルプ製カバー材はリサイクル可能となるため、環境問題にも対応することができる。
さらに、今までに無い形態となるため、斬新、かつ、見栄えのよい歯磨きセットを提供することができる。
【図面の簡単な説明】
【００１５】
【図１】本考案の第１実施例である歯磨きセットの各構成を示す概念図。
【図２】（Ａ）（Ｂ）は本考案の第１実施例である歯磨きセットの要部拡大透視図および内部を示す上方透視図。
【図３】（Ａ）〜（Ｃ）は本考案の第１実施例である歯磨きセットの紙製保護シート材のスリットの形態を示す図。
【図４】（Ａ）（Ｂ）は本考案の第２実施例である歯磨きセットのパルプ製カバー材を示す図。
【考案を実施するための形態】
【００１６】
本考案の歯磨き剤容器は、一対のシート状部材を合わせて互いに接触した外側縁部分と互いに離間した内側袋状部分とを有して、内側袋状部分の面積が、歯ブラシのブラシ側方視におけるブラシ部分の面積より小さい構成であることにより、歯磨き剤の使いすぎを回避することができ、約１回分の歯磨き剤を簡単に使い切ることができるものであれば、その具体的な実施態様は、如何なるものであっても構わない。
さらに、本考案の歯磨きセットは、歯ブラシと歯磨き剤容器と紙製保護シート材と紙製ヘッドカバーシート材と係止用線材とを有して、歯磨き剤容器が、上述の歯磨き剤容器であり、紙製保護シート材が、歯ブラシのネック部の延設方向から視て少なくともコ字状に屈曲して形成されて、歯ブラシのヘッド部の少なくとも両側側方を覆うように配設され、歯ブラシのヘッド部の側方と対向する面において２つのスリットを有し、歯磨き剤容器の少なくとも一部が、紙製保護シート材の２つスリットに挿通されて紙製保護シート材に対して保持され、紙製ヘッドカバーシート材が、歯ブラシのヘッド部と紙製保護シート材と歯磨き剤容器と歯ブラシのネック部の一部とを覆うとともに、係止用線材が、紙製ヘッドカバーシート材の一部に巻かれて紙製ヘッドカバーシート材を歯ブラシのネック部に係止する構成であることにより、歯磨きセットをコンパクトにすることができ、歯磨き剤容器が外力によって破損するリスクを回避することができ、環境問題にも対応することができ、斬新、かつ、見栄えのよい歯磨きセットを提供することができるものであれば、その具体的な実施態様は、如何なるものであっても構わない。
また、本考案の歯磨きセットは、歯ブラシと歯磨き剤容器とパルプ製カバー材とを有して、歯磨き剤容器が、上述の歯磨き剤容器であり、パルプ製カバー材が、開閉自在な構造であり、歯ブラシのヘッド部および歯ブラシのネック部の一部を歯ブラシの側方両側から挟むように覆い、歯ブラシのヘッド部と対向する位置に歯磨き剤容器を収納する凹部を有している構成であることにより、歯磨きセットをコンパクトにすることができ、歯磨き剤容器が外力によって破損するリスクを回避することができ、環境問題にも対応することができ、斬新、かつ、見栄えのよい歯磨きセットを提供することができるものであれば、その具体的な実施態様は、如何なるものであっても構わない。
【００１７】
「内側袋状部分の面積」とは、表裏両面の合計ではなく、一方の面の面積をいう。
また、「歯ブラシのブラシ側方視におけるブラシ部分の面積」とは、ブラシ部分の両側の合計ではなく、一方側の面積をいう。
例えば、歯磨き剤容器のシート状部材の材質については、環境問題を考慮した紙が望ましいが、ビニール等の樹脂など如何なるものであっても構わない。
また、歯ブラシのブラシ部分以外の材質については、環境問題を考慮した竹材などの木材が望ましいが、プラスチック等の樹脂など如何なるものであっても構わない。
さらに、係止用線材は、ひもや針金入りの樹脂製リボンなど、ネック部に巻き付けて、紙製ヘッドカバーシート材を歯ブラシのネック部に係止自在なものであれば如何なるものであっても構わない。
また、歯磨き剤は、ペースト状、タブレット状、粉状、顆粒状、液体状、ゲル状など如何なるものであっても構わない。
【実施例１】
【００１８】
以下に、本考案の第１実施例である歯磨きセット１００について、図１乃至図３（Ｃ）に基づいて説明する。
ここで、図１は、本考案の第１実施例である歯磨きセット１００の各構成を示す概念図であり、図２（Ａ）は、本考案の第１実施例である歯磨きセット１００の要部拡大透視図であり、図２（Ｂ）は、図２（Ａ）の符号２Ｂから視た歯磨きセット１００の内部を示す上方透視図であり、図３（Ａ）は、本考案の第１実施例である歯磨きセット１００の紙製保護シート材１３０のスリット１３１の第１の形態を示す図であり、図３（Ｂ）は、紙製保護シート材１３０のスリット１３１の第２の形態を示す図であり、図３（Ｃ）は、紙製保護シート材１３０のスリット１３１の第３の形態を示す図である。
【００１９】
本考案の第１実施例である歯磨きセット１００は、図１に示すように、歯ブラシ１２０と、歯磨き剤容器１１０と、紙製保護シート材１３０と、紙製ヘッドカバーシート材１４０と、係止用線材１５０とを有している。
このうち、歯ブラシ１２０は、ヘッド部１２１と、ネック部１２２と、持ち手部１２３とを有している。
ヘッド部１２１には、ブラシ部分１２１ａが設けられている。
歯ブラシ１２０のうち、ブラシ部分１２１ａ以外は、一例として竹材で形成されている。
これにより、全体をプラスチックで形成した構成と比べて、竹材の部分が分解されやすくなる。
その結果、環境問題に対応することができる。
【００２０】
また、本校案の歯磨き剤容器１１０は、一対のシート状部材を合わせて互いに接触した外側縁部分１１１と、互いに離間した内側袋状部分１１２とを有している。
そして、内側袋状部分１１２において一例としてペースト状の歯磨き剤を内包するように構成されている。
さらに、内側袋状部分１１２の面積Ａ１が、歯ブラシ１２０のブラシ側方視におけるブラシ部分１２１ａの面積Ａ２より小さい構成である。
【００２１】
これにより、歯磨き剤の量が約１回分の歯磨きに適した量となる。
その結果、歯磨き剤の使いすぎを回避することができる。
さらに、内側袋状部分１１２がユーザーの例えば、親指と人差し指とによって摘ままれてワンプッシュでペースト状の歯磨き剤が外部に押し出される。
その結果、約１回分の歯磨き剤を簡単に使い切ることができる。
つまり、歯磨き剤が残ってしまい無駄（ロス）となることを回避して資源を有効に活用することができる。
【００２２】
なお、歯ブラシ１２０は、子供用、大人用に応じて、ヘッド部１２１の大きさが異なり、ブラシ部分１２１ａの面積Ａ２は、子供用であれば、比較的小さく、大人用であれば、比較的大きくなる傾向である。
具体的な大きさの目安として、大人用の歯ブラシ１２０の側視したブラシ部分１２１ａは、１８ｍｍ×８ｍｍ〜２５ｍｍ×１５ｍｍ程度であり、子供用の歯ブラシ１２０の側視したブラシ部分１２１ａは、１０ｍｍ×５ｍｍ〜１５ｍｍ×８ｍｍ程度である（寸法：持ち手延設方向×ブラシ延設方向）。
そして、１回分の歯磨き剤の量は、子供に対しては、ブラシ部分１２１ａの面積Ａ２に応じて比較的少量となり、大人に対しては、ブラシ部分１２１ａの面積Ａ２に応じて比較的多量となる。
【００２３】
さらに、本考案において、歯磨き剤容器１１０のシート状部材の少なくともベース層が、紙で形成されている構成である。
これにより、外側縁部分１１１を破りやすくなる。
その結果、ユーザーは簡単に歯磨き剤容器１１０の角などを破ってペースト状の歯磨き剤を押し出すことができる。
また、歯磨き剤容器１１０が歯ブラシ１２０のブラシ部分１２１ａの横に位置して運搬時に外力が歯磨き剤容器１１０に対して直接作用しない。
その結果、歯磨き剤容器１１０が外力によって破損するリスクを回避することができる。
さらに、使用済みの歯磨き剤容器１１０はリサイクル可能となる。
その結果、環境問題に対応することができる。
なお、シート状部材の全てを紙で形成してもよい。
ユーザーがシート状部材をちぎりやすくなるため、切り込みを設ける必要がない。
【００２４】
また、紙製保護シート材１３０は、図１に示す点線箇所で折り曲げられる。
そして、図２（Ａ）および図２（Ｂ）に示すように、紙製保護シート材１３０は、歯ブラシ１２０のネック部１２２の延設方向から視て少なくとも「コ」字状に屈曲して形成されて、歯ブラシ１２０のヘッド部１２１の少なくとも両側側方を覆うように配設される。
さらに、図１および図３（Ａ）〜図３（Ｃ）に示すように、紙製保護シート材１３０は、歯ブラシ１２０のヘッド部１２１の側方と対向する面において２つのスリット１３１を有している。
そして、歯磨き剤容器１１０の少なくとも一部が、紙製保護シート材１３０の２つスリット１３１に挿通されて紙製保護シート材１３０に対して保持されるように構成されている。
１つの歯磨き剤容器１１０に対して２つのスリット１３１が設けられていればよい。
歯磨き剤容器１１０は、１泊につき夜分と翌朝分の２回分として、２つ設けられていることが望ましい。
【００２５】
また、図２（Ａ）に示すように、紙製ヘッドカバーシート材１４０が、歯ブラシ１２０のヘッド部１２１と紙製保護シート材１３０と歯磨き剤容器１１０と歯ブラシ１２０のネック部１２２の一部とを覆う。
これとともに、係止用線材１５０が、紙製ヘッドカバーシート材１４０の一部に巻かれて紙製ヘッドカバーシート材１４０を歯ブラシ１２０のネック部１２２に係止するように構成されている。
【００２６】
これにより、紙製保護シート材１３０によって歯ブラシ１２０のヘッド部１２１が保護されるとともに歯磨き剤容器１１０が保持される。
その結果、歯磨きセット１００をコンパクトにすることができる。
さらに、使用済みの紙製保護シート材１３０および紙製ヘッドカバーシート材１４０はリサイクル可能となる。
その結果、環境問題にも対応することができる。
さらに、今までに無い形態となる。
その結果、斬新、かつ、見栄えのよい歯磨きセット１００を提供することができる。
なお、本実施例では、歯磨き剤について、ペースト状として説明したが、これに限らず、粉状、顆粒状、液体状、ゲル状などでもよい。
【００２７】
このようにして得られた本考案の第１実施例である歯磨き剤容器１１０は、一対のシート状部材を合わせて互いに接触した外側縁部分１１１と互いに離間した内側袋状部分１１２とを有し、内側袋状部分１１２の面積Ａ１が、歯ブラシ１２０のブラシ側方視におけるブラシ部分１２１ａの面積Ａ２より小さい構成であることにより、歯磨き剤の使いすぎを回避することができ、約１回分の歯磨き剤を簡単に使い切ることができる。
【００２８】
さらに、シート状部材の少なくともベース層が、紙で形成されている構成であることにより、ユーザーは簡単に歯磨き剤容器１１０の角などを破って歯磨き剤を押し出すことができ、環境問題に対応することができる。
【００２９】
また、本考案の第１実施例である歯磨きセット１００は、歯ブラシ１２０と、歯磨き剤容器１１０と、紙製保護シート材１３０と、紙製ヘッドカバーシート材１４０と、係止用線材１５０とを有し、歯磨き剤容器１１０が、上述した歯磨き剤容器１１０であり、紙製保護シート材１３０が、歯ブラシ１２０のネック部１２２の延設方向から視て少なくとも「コ」字状に屈曲して形成されて、歯ブラシ１２０のヘッド部１２１の少なくとも両側側方を覆うように配設され、歯ブラシ１２０のヘッド部１２１の側方と対向する面において２つのスリット１３１を有し、歯磨き剤容器１１０の少なくとも一部が、紙製保護シート材１３０の２つスリット１３１に挿通されて紙製保護シート材１３０に対して保持され、紙製ヘッドカバーシート材１４０が、歯ブラシ１２０のヘッド部１２１と紙製保護シート材１３０と歯磨き剤容器１１０と歯ブラシ１２０のネック部１２２の一部とを覆うとともに、係止用線材１５０が、紙製ヘッドカバーシート材１４０の一部に巻かれて紙製ヘッドカバーシート材１４０を歯ブラシ１２０のネック部１２２に係止する構成であることにより、歯磨きセット１００をコンパクトにすることができ、歯磨き剤容器１１０が外力によって破損するリスクを回避することができ、環境問題にも対応することができ、歯磨き剤の使いすぎを回避することができ、約１回分の歯磨き剤を簡単に使い切ることができ、さらに、斬新、かつ、見栄えのよい歯磨きセット１００を提供することができるなど、その効果は甚大である。
【実施例２】
【００３０】
続いて、本考案の第２実施例である歯磨きセット２００について、図４（Ａ）および図４（Ｂ）に基づいて説明する。
ここで、図４（Ａ）は、本考案の第２実施例である歯磨きセット２００のパルプ製カバー材２６０の開いた状態に歯磨き剤容器２１０を入れた様子を示す図であり、図４（Ｂ）は、図４（Ａ）に歯ブラシ２２０のヘッド部２２１を入れた様子を示す図である。
第２実施例の歯磨きセット２００は、第１実施例の歯磨きセット１００の紙製保護シート材１３０、紙製ヘッドカバーシート材１４０および係止用線材１５０に代えて成形されたパルプ製カバー材２６０によって歯ブラシ２２０のヘッド部２２１を覆う構成としたものであり、多くの要素について第１実施例の歯磨きセット１００と共通するので、共通する事項については詳しい説明を省略し、下２桁が共通する２００番台の符号を付すのみとする。
【００３１】
本考案の第２実施例である歯磨きセット２００は、図４（Ａ）および図４（Ｂ）に示すように、歯ブラシ２２０と、歯磨き剤容器２１０と、パルプで成形されたパルプ製カバー材２６０とを有している。
このうち、パルプ製カバー材２６０は、折り曲げ部分２６１で折り曲げられて開閉自在な構造である。
さらに、パルプ製カバー材２６０は、ヘッド用凹部２６２と、歯磨き剤用凹部２６３と、係合凸部２６４と、係合凹部２６５とを有している。
このうち、ヘッド用凹部２６２は、歯ブラシ２２０のヘッド部２２１より一回り大きな凹みであり、歯ブラシ２２０のヘッド部２２１およびネック部２２２の一部を収容するように設けられている。
【００３２】
また、歯磨き剤用凹部２６３は、歯磨き剤容器２１０より一回り大きなへこみであり、歯ブラシ２２０のヘッド部２２１と対向する位置である一対のヘッド用凹部２６２の一方の底において、一例として２つの歯磨き剤容器２１０を収容するように設けられている。
係合凸部２６４および係合凹部２６５は、パルプ製カバー材２６０が閉じられる際に、互いに嵌合して係合するように設けられ、係合によって閉じた状態が保持される。
そして、パルプ製カバー材２６０は、歯ブラシ２２０のヘッド部２２１および歯ブラシ２２０のネック部２２２の一部を歯ブラシ２２０の側方両側から挟むように覆って閉じられる。
【００３３】
これにより、パルプ製カバー材２６０によって歯ブラシ２２０のヘッド部２２１が保護されるとともに歯磨き剤容器２１０が収納・保持される。
その結果、歯磨きセット２００をコンパクトにすることができる。
また、歯磨き剤容器２１０が歯ブラシ２２０のブラシ部分２２１ａの横に位置して運搬時に外力がパルプ製カバー材２６０に覆われた歯磨き剤容器２１０に対して直接作用しない。
その結果、歯磨き剤容器２１０が外力によって破損するリスクを回避することができる。
さらに、使用済みのパルプ製カバー材２６０はリサイクル可能となる。
その結果、環境問題にも対応することができる。
さらに、今までに無い形態となる。
その結果、斬新、かつ、見栄えのよい歯磨きセット２００を提供することができる。
【００３４】
なお、閉じた状態の保持については、一例として、係合凸部２６４および係合凹部２６５による係合の構成を挙げたが、例えば、爪が切り込みに入り込んで係合し閉じた状態が保持される構成でもよい。
また、パルプ製カバー材２６０における折り曲げ部分２６１を基準とした両側にヘッド用凹部２６２を設けた構成としたが、片側のみの構成でもよい。
さらに、歯磨き剤用凹部２６３を片側のみの構成としたが、両側に設けた構成としてもよい。
【００３５】
このようにして得られた本考案の第２実施例である歯磨き剤容器２１０は、歯ブラシ２２０と、歯磨き剤容器２１０と、パルプ製カバー材２６０とを有し、歯磨き剤容器２１０が、上述した歯磨き剤容器２１０であり、パルプ製カバー材２６０が、開閉自在な構造であり、歯ブラシ２２０のヘッド部２２１および歯ブラシ２２０のネック部２２２の一部を歯ブラシ２２０の側方両側から挟むように覆い、歯ブラシ２２０のヘッド部２２１と対向する位置に歯磨き剤容器２１０を収納する凹部としての歯磨き剤用凹部２６３を有している構成であることにより、歯磨きセット２００をコンパクトにすることができ、歯磨き剤容器２１０が外力によって破損するリスクを回避することができ、環境問題にも対応することができ、歯磨き剤の使いすぎを回避することができ、約１回分の歯磨き剤を簡単に使い切ることができ、さらに、斬新、かつ、見栄えのよい歯磨きセット２００を提供することができるなど、その効果は甚大である。
【符号の説明】
【００３６】
１００、  ２００  ・・・  歯磨きセット
１１０、  ２１０  ・・・  歯磨き剤容器
１１１            ・・・  外側縁部分
１１２            ・・・  内側袋状部分
１２０、  ２２０  ・・・  歯ブラシ
１２１、  ２２１  ・・・  ヘッド部
１２１ａ、２２１ａ・・・  ブラシ部分
１２２、  ２２２  ・・・  ネック部
１２３            ・・・  持ち手部
１３０            ・・・  紙製保護シート材
１３１            ・・・  スリット
１４０            ・・・  紙製ヘッドカバーシート材
１５０            ・・・  係止用線材
２６０  ・・・  パルプ製カバー材
２６１  ・・・  折り曲げ部分
２６２  ・・・  ヘッド用凹部
２６３  ・・・  歯磨き剤用凹部
２６４  ・・・  係合凸部
２６５  ・・・  係合凹部
Ａ１              ・・・  内側袋状部分の面積
Ａ２              ・・・  ブラシ部分の面積
【図１】
0003225093.tif 000003
【図２】
0003225093.tif 000004
【図３】
0003225093.tif 000005
【図４】
0003225093.tif 000006